(57)【特許請求の範囲】
【請求項１】
原稿画像を読み取る画像読取部と、シートに画像を形成する画像形成部とを備えた画像形成装置において、
装置本体に着脱自在に装着される、前記画像読取部により画像が読み取られる前の原稿を収納する読取前原稿収納部及び前記画像形成部により画像が形成される前のシートを収納する画像形成前シート収納部を有する密閉された第１格納容器と、
前記装置本体に着脱自在に装着される、前記画像読取部により画像が読み取られた後の原稿を収納する読取後原稿収納部及び前記画像形成部により画像が形成された後のシートを収納する画像形成後シート収納部を有する密閉された第２格納容器と、
前記第１格納容器に収納された画像読取前の原稿を前記画像読取部に搬送するための読取前原稿搬送路及び前記第１格納容器に収納された画像形成前のシートを前記画像形成部に搬送するための画像形成前シート搬送路を備えた第１通路部と、
前記第２格納容器に画像読取後の原稿を搬送するための読取後原稿搬送路及び前記第２格納容器に画像形成後のシートを搬送するための画像形成後シート搬送路を備えた第２通路部と、
を備えたことを特徴とする画像形成装置。
【請求項２】
少なくとも前記第２格納容器を前記装置本体に装着した後、原稿画像の読み取り及びシートに対する画像形成を開始することを特徴とする請求項１記載の画像形成装置。
【請求項３】
前記第１格納容器に設けられ、前記読取前原稿収納部を密閉し、かつ前記読取前原稿搬送路に画像読取前の原稿を搬送する際に開放される読取前原稿シャッタと、
前記第１格納容器に設けられ、画像形成前シート収納部を密閉し、かつ画像形成前のシートを前記画像形成前シート搬送路に搬送する際に開放される画像形成前シートシャッタと、
前記第２格納容器に設けられ、前記読取後原稿収納部を密閉し、かつ前記読取後原稿搬送路からの画像読取後の原稿を前記読取後原稿収納部に収納する際に開放される読取後原稿シャッタと、
前記第２格納容器に設けられ、前記画像形成後シート収納部を密閉し、かつ画像形成後のシートを前記画像形成後シート収納部に収納する際に開放される画像形成後シートシャッタと、
前記装置本体に前記第１格納容器が装着されたことを検知する第１装着検知手段と、
前記装置本体に前記第２格納容器が装着されたことを検知する第２装着検知手段と、
前記第１装着検知手段及び前記第２装着検知手段からの信号に基づいて前記読取前原稿シャッタ、前記画像形成前シートシャッタ、前記読取後原稿シャッタ及び前記画像形成後シートシャッタを選択的に動作させる制御手段と、を備えたことを特徴とした請求項１又は２記載の画像形成装置。
【請求項４】
前記第１格納容器及び前記第２格納容器は施錠可能であることを特徴とする請求項１ないし３の何れか１項に記載の画像形成装置。
【請求項５】
前記第１通路部の前記画像形成前シート搬送路及び前記画像形成前シート搬送路、並びに前記第２通路部の前記読取後原稿搬送路及び前記画像形成後シート搬送路をそれぞれ開放する複数の扉と、
前記複数の扉を電気的に施錠する複数の錠を設け、
前記制御手段は、前記第１装着検知手段及び前記第２装着検知手段からの信号に基づいて選択的に前記複数の錠の施錠を行うことを特徴とする請求項３又は４記載の画像形成装置。
【発明の詳細な説明】
【技術分野】
【０００１】
本発明は、画像形成装置に関し、特に機密情報等を複写する前及び複写後の原稿及びシートの保護に関するものである。
【背景技術】
【０００２】
従来、デジタル複写機、プリンタ、ファクシミリ等の画像形成装置においては、原稿画像を読み取る画像読取部と、画像読取部によって読み取った画像情報や外部から送られたに画像情報に基づいて画像を形成する画像形成部とを備えたものがある。
【０００３】
ところで、このような従来の画像形成装置の一例である複写機において、他人には見られたくない機密書類等の原稿を画像読取部によって読み取った後、読み取った画像情報（機密情報）に応じて画像形成部によりシートに画像を複写（形成）する場合がある。また、外部のパソコン等から入力された画像情報を画像形成部によりシートに形成する場合がある。
【０００４】
ここで、例えば機密書類を複写する場合、複写元となる機密書類が他人の目に触れることが無いよう機密書類を、錠前付きの蓋を有し、内部が密閉された機密原稿置き箱にセットするようにしたものがある（特許文献１参照）。
【０００５】
一方、機密情報が複写されるシートにおいて、金融証券等をはじめとして、複写前においても安全性を確保する必要のあるシートがある。そして、このようなシートの場合、シートを収納した給紙カセットを画像形成装置本体に施錠して取り付けることにより、給紙カセットが画像形成装置本体から取り外すことができないようにしたものがある（特許文献２参照）。
【０００６】
【特許文献１】特開昭６１−１４０４３５号公報
【特許文献２】特開２００１−１３２２９６号公報
【発明の開示】
【発明が解決しようとする課題】
【０００７】
しかし、このような従来の画像形成装置において、機密書類を、安全性を確保する必要のあるシートに複写する場合、機密原稿を収納する機密原稿置き箱と、施錠を行うカセットとが必要となる。この場合、機密原稿置き箱と施錠を行うカセットは、別々であるため複写の際、ユーザの操作が繁雑になる。
【０００８】
また、複写された後の機密書類及び機密情報が複写されたシートに対しても安全性を確保する必要があり、この場合も複写された後の機密書類及び機密情報が複写されたシートを収納する容器が別々であるため、ユーザの操作が繁雑になる。
【０００９】
そこで、本発明は、このような現状に鑑みてなされたものであり、情報の安全性を確保しつつ、ユーザビリティを向上させることのできる画像形成装置を提供することを目的とするものである。
【課題を解決するための手段】
【００１０】
本発明は、原稿画像を読み取る画像読取部と、シートに画像を形成する画像形成部とを備えた画像形成装置において、装置本体に着脱自在に装着される、前記画像読取部により画像が読み取られる前の原稿を収納する読取前原稿収納部及び前記画像形成部により画像が形成される前のシートを収納する画像形成前シート収納部を有する密閉された第１格納容器と、前記装置本体に着脱自在に装着される、前記画像読取部により画像が読み取られた後の原稿を収納する読取後原稿収納部及び前記画像形成部により画像が形成された後のシートを収納する画像形成後シート収納部を有する密閉された第２格納容器と、前記第１格納容器に収納された画像読取前の原稿を前記画像読取部に搬送するための読取前原稿搬送路及び前記第１格納容器に収納された画像形成前のシートを前記画像形成部に搬送するための画像形成前シート搬送路を備えた第１通路部と、前記第２格納容器に画像読取後の原稿を搬送するための読取後原稿搬送路及び前記第２格納容器に画像形成後のシートを搬送するための画像形成後シート搬送路を備えた第２通路部と、を備えたことを特徴とするものである。
【発明の効果】
【００１１】
本発明のように、画像読取前の原稿及び画像形成前のシートを格納容器に収納し、この格納容器が密閉されていて装置本体に対して着脱自在であることにより、情報の安全性を確保しつつ、ユーザビリティを向上させることができる。
【発明を実施するための最良の形態】
【００１２】
以下、本発明を実施するための最良の形態を、図面に基づき詳細に説明する。
【００１３】
図１は、本発明の実施の形態に係る画像形成装置の一例である複写機の構成を示す図である。
【００１４】
図１において、２００は複写機、２００Ａは複写機本体であり、この複写機本体２００Ａの上部には画像読取部を構成する画像読取装置１２が、複写機本体２００Ａの内部には画像形成部１が設けられている。また、複写機本体２００Ａの上面には、原稿をプラテンガラス１２ａに給送する原稿給送装置（ＡＤＦ）１３が設けられている。
【００１５】
ここで、この原稿給送装置１３は、画像読取装置１２に対して開閉可能に構成されており、プラテンガラス上に載置した原稿を押圧するよう作用すると共に、複数枚の原稿Ｐ７が載置可能な原稿載置台１３ａが設けられている。また、画像読取装置１２にはプラテンガラス上に載置された原稿、または原稿給送装置１３により搬送され、プラテンガラス上を通過する原稿Ｐ７を流し読みにて読み取るコンタクトイメージセンサ１２ｂが設けられている。
【００１６】
そして、操作者が後述する図５に示す操作部５１により読取開始を指示すると、原稿給送装置１３のピックアップローラ１３ｂが回転する。これに伴い原稿載置台１３ａにセットされた原稿Ｐ７が１枚ずつに分離されて画像読取位置へと搬送され、コンタクトイメージセンサ１２ｂにより画像が読み取られる。この後、画像が読み取られた原稿は、排紙ローラ対１３ｃにより原稿給送装置１３の上面に設けられた排出トレイ１３ｄに排出される。
【００１７】
一方、画像形成部１には、円筒状の感光ドラム２ａ及び不図示の帯電器、現像器、クリーニング装置等を備えたプロセスカートリッジ２、露光手段６等が設けられている。さらに、画像形成部１の下流側には定着装置５、排出ローラ対１１等が配設されている。
【００１８】
そして、既述したように原稿画像が画像読取装置１２により読み取られ、読み取られた画像情報は露光手段６に入力され、この露光手段６により、画像情報に応じた光が不図示のポリゴンミラー等を介して感光ドラム２ａに照射される。
【００１９】
このとき、感光ドラム２ａの表面は不図示の帯電器により一様に帯電されており、このように光が照射されると、感光ドラム表面に静電潜像が形成され、この静電潜像を不図示の現像器により現像することにより、感光ドラム表面にトナー像が形成される。
【００２０】
一方、このようなトナー像形成動作に並行してカセット４にセットされたシートＰ８が給紙ローラ４ａによってレジストローラ９まで搬送される。次に、シートＰ８は、レジストローラ９によってシート先端と感光ドラム２ａのトナー像の先端を合わせるようなタイミングで感光ドラム２ａと転写ローラ３とにより構成される転写部まで搬送される。そして、この際、転写ローラ３に転写バイアスが印加されることにより、感光ドラム上のトナー像がシート側に転写される。
【００２１】
次に、トナー像が転写されたシートＰ８は、定着装置５まで搬送され、定着装置５を通過する際に、トナー像が熱定着される。そして、トナー像が定着されたシートＰ８は、そのまま排紙ローラ１１により排紙トレイ７に排出される。
【００２２】
ところで、本実施の形態において、複写機本体２００Ａには、複写前（画像読取前）の機密性の高い原稿及び機密性の高い複写前（画像形成前）のシートを収納する密閉された第１格納容器である複写前格納容器３０が選択的に装着されている。
【００２３】
この密閉された複写前格納容器３０には、機密性の高い複写前原稿Ｐ２を格納する読取前原稿収納部である複写前原稿カセット３２と、機密性の高い複写前シートＰ１を格納する画像形成前シート収納部である複写前シートカセット３１が内蔵されている。
【００２４】
また、この複写前格納容器３０には、複写前原稿カセット３２に積載された複写前原稿Ｐ２と、複写前シートカセット３１に積載された複写前シートＰ１を、一枚ずつ分離し、搬送するピックアップローラ３５，３６が設けられている。さらに、この複写前格納容器３０には、複写前原稿カセット３２と複写前シートカセット３１の抜き出しを規制するための複写前格納容器錠３９が設けられている。
【００２５】
なお、３４は複写前格納容器３０に設けられ、機密情報の複写動作時にのみ複写前格納容器３０から画像形成部１へ複写前原稿Ｐ２を搬送し、それ以外は外へ複写前原稿Ｐ２を出さないようにするための読取前原稿シャッタである複写前原稿シャッタである。また、３３は、機密情報の複写動作時にのみ複写前格納容器３０から画像形成部１へ複写前シートＰ１を搬送し、それ以外は外へ複写前シートＰ１を出さないようにするための、画像形成前シートシャッタである複写前シートシャッタである。
【００２６】
そして、複写前格納容器３０を複写機本体２００Ａに対して着脱自在な構成とすることにより、複写前原稿Ｐ２と複写前シートＰ１を一つの容器で持ち運びできると共に、複写前原稿Ｐ２と複写前シートＰ１をユーザの机上でまとめて処理することができる。この結果、安全性及びユーザ操作性が向上する。
【００２７】
また、複写機本体２００Ａには複写後（画像読取後）の原稿及び複写後（画像形成後）のシートを格納する密閉された第２格納容器である複写後格納容器４０が選択的に装着されている。
【００２８】
そして、この密閉された複写後格納容器４０には、機密性の高い複写後原稿Ｐ４を格納する読取後原稿収納部である複写後原稿カセット４２と、複写後シートＰ３を格納する画像形成後シート収納部である複写後シートカセット４１が着脱可能に内蔵されている。また、この複写後格納容器４０には、複写後原稿カセット４２と複写後シートカセット４１の抜き出しを規制する複写前格納容器錠４９が設けられている。
【００２９】
なお、４４は機密情報の複写動作時のみに複写後格納容器４０へ画像形成部１から機密原稿を搬送し、複写後格納容器４０から外へ複写後原稿Ｐ４を出さないようにするための、読取後原稿シャッタである複写後原稿シャッタである。４３は、機密情報の複写動作時のみに複写後格納容器４０へ画像形成装置２００から機密シートＰ３を搬送し、複写後格納容器４０から外へ複写後シートＰ３を出さないようにするための画像形成後シートシャッタである複写後シートシャッタである。
【００３０】
そして、複写後格納容器４０を複写機本体２００Ａに対して着脱自在な構成とすることにより、複写後原稿Ｐ４と複写後シートＰ３を一つの容器で持ち運びできると共に、複写後原稿Ｐ４と複写後シートＰ３をユーザの机上でまとめて処理することができる。この結果、安全性・ユーザ操作性が向上する。
【００３１】
一方、図１において、６０は複写機本体２００Ａに設けられた第１通路部である複写前通路部である。この複写前通路部６０は、複写前格納容器３０に収納された複写前原稿Ｐ２を画像読取装置１２の画像読取位置に搬送するための読取前原稿搬送路である複写前原稿搬送路６２を備えている。また、複写前シートＰ１を画像形成部１へ搬送するための画像形成前シート搬送路である複写前シート搬送路６１とを備えている。
【００３２】
７０は、複写機本体２００Ａに設けられた第２通路部である複写後通路部である。この複写後通路部７０は、画像読取装置１２により情報が読み取られた複写前原稿Ｐ２を複写後格納容器４０の複写後原稿カセット４２へ搬送するための読取後原稿搬送路である複写後原稿搬送路７２を備えている。また、画像形成部１により機密画像が形成された複写後シートＰ３を複写後シートカセット４１へ搬送するための画像形成後シート搬送路である複写後シート搬送路７１を備えている。
【００３３】
そして、このような複写前通路部６０及び複写後通路部７０を複写機本体２００Ａに設けることにより、複写前格納容器３０と複写後格納容器４０内に機密原稿と機密シートをまとめてコンパクトに格納することができる。また、機密原稿の複写を人の目に触れることなく行うことができ、安全性を確保しつつ、ユーザ操作性が向上する。
【００３４】
なお、図１において、８２は機密情報の複写動作時と通常動作時の原稿の搬送路を切り替えるための機密原稿搬送切換部材、８１は機密情報の複写動作時と通常動作時のシートの搬送路を切り替えるための、機密シート搬送切換部材である。
【００３５】
９１は、複写機本体２００Ａに設けられ、複写前格納容器３０がセットされたか否かを判別するための第１装着検知手段である複写前格納容器検知手段である。９２は複写後格納容器４０がセットされたか否かを判別するための第２装着検知手段である複写後格納容器検知手段である。
【００３６】
５０は、複写機２００の複写動作（画像形成動作）を制御する制御手段であり、この制御手段５０には複写前格納容器検知手段９１及び複写後格納容器検知手段９２からの検知信号が入力される。
【００３７】
ところで、このような構成の複写機２００は、シートがジャムした場合、ジャムしたシートを取り出す際に開放される複数の扉を備えている。図２〜図４は、本実施の形態に係る複写機２００の扉構成を示した図である。
【００３８】
図２〜図４において、１１０は画像形成部扉であり、この画像形成部扉１１０は、シートのジャム等が発生した際、画像形成を行う搬送路のほか、複写前通路部６０及び複写後通路部７０の一部にユーザがアクセスするための扉である。１２０は、機密原稿搬送扉であり、複写後通路部７０の一部にシートのジャム等が発生した場合、ユーザがアクセスするための扉である。１３０、１４０は、原稿搬送第１扉及び原稿搬送第２扉であり、この原稿搬送第１扉及び原稿搬送第２扉１３０，１４０は特に画像読取装置１２にアクセスするための扉である。
【００３９】
ところで、既述したように本複写機２００は機密情報の複写を行うものである。そして、各扉１１０，１２０，１３０，１４０は、機密性の高い原稿及びシートが搬送される搬送路にユーザがアクセスするための扉であることから、少なくとも機密情報の複写を行う際には、開放できないようにする必要がある。
【００４０】
このため、画像形成部扉１１０には、画像形成扉１１０をロックするための画像形成部扉錠１１１が、機密原稿搬送扉１２０には機密原稿搬送扉１２０をロックするための機密原稿搬送扉錠１２１が備えられている。また、原稿搬送第１扉１３０には、原稿搬送第１扉１３０をロックするための原稿搬送第１扉錠１３１が、原稿搬送第２扉１４０には、原稿搬送第２扉１４０をロックするための原稿搬送第２扉錠１４１が備えられている。このように、機密性の高い原稿及びシートが搬送される搬送路にユーザがアクセスするための扉１１０，１２０，１３０，１４０には、すべて錠１１１，１２１，１３１，１４１が設けられている。
【００４１】
ところで、本実施の形態においては、図５に示すように画像形成部扉錠１１１、機密原稿搬送扉錠１２１、原稿搬送第１扉錠１３１、原稿搬送第２扉錠１４１の開閉動作（施錠動作）は、制御手段５０により電気的に施錠可能に制御されている。
【００４２】
なお、図５に示すように、制御手段５０には、複写前格納容器検知手段９１、複写後格納容器検知手段９２からの検知信号及び操作部５１から機密ジョブ開始信号、ロック解除信号、暗証番号信号等が入力されるようになっている。
【００４３】
そして、制御手段５０は、これら複写前格納容器検知手段９１等からの情報によって画像形成部扉錠１１１、機密原稿搬送扉錠１２１、原稿搬送第１扉錠１３１、原稿搬送第２扉錠１４１の施錠及び開錠動作を制御する。また、制御手段５０は、複写前格納容器検知手段９１等からの情報によって複写前原稿シャッタ３４、複写前シートシャッタ３３、複写後原稿シャッタ４４、複写後シートシャッタ４３、機密原稿搬送切換部材８２、機密シート搬送切換部材８１の動作を制御する。
【００４４】
次に、このような制御手段５０の機密情報を複写する場合の制御動作について図６及び図７に示すフローチャートを用いて説明する。
【００４５】
複写動作が開始されると、制御手段５０は、操作部５１からの信号に基づき、機密情報の複写を行うかを判断する（Ｓ１００）。そして、機密情報の複写ではないと判断した場合には（Ｓ１００のＮ）、通常の複写を行う（Ｓ１０９）。
【００４６】
また、機密情報の複写を行うと判断した場合には（Ｓ１００のＹ）、次に複写後格納容器４０がセットされたかを判断する（Ｓ１０１）。ここで、複写後格納容器４０がセットされるまでは、例え機密ジョブ開始信号が出力された場合でも、機密情報が複写されたシートを収納する複写後格納容器４０がセットされていないので、複写動作は行われない。
【００４７】
なお、図８に示すように複写後格納容器４０がセットされ、これを複写後格納容器検知手段９２が検出すると、複写後格納容器検知手段９２から検知信号が制御手段５０に入力され、制御手段５０は複写後格納容器４０のセットを認識する。
【００４８】
そして、このように複写後格納容器４０がセットされたと判断すると（Ｓ１０１のＹ）、次に機密情報の複写は原稿に記載された機密情報を複写するジョブ、即ち原稿を有するジョブかを判断する（Ｓ１０２）。
【００４９】
そして、原稿を有するジョブと判断した場合には（Ｓ１０２のＹ）、次に複写前格納容器３０がセットされたかを判断する（Ｓ１０３）。なお、図９に示すように複写後格納容器４０がセットされ、これを複写前格納容器検知手段９１が検出すると、複写前格納容器検知手段９１から検知信号が制御手段５０に入力され、制御手段５０は複写前格納容器４０のセットを認識する。
【００５０】
そして、このように複写前格納容器４０がセットされたと判断すると（Ｓ１０３のＹ）、機密原稿の読取及び機密性を有するシートに対する画像形成を行う機密情報複写動作を開始する（Ｓ１０４）。
【００５１】
一方、パソコンからの印刷やＦＡＸ等のプリント動作の場合、即ち原稿を有しないジョブの場合（Ｓ１０２のＮ）、次に、複写前のシートが機密性を有するものかを判断する（Ｓ１０５）。ここで、複写前のシートが機密性を有するものの場合（Ｓ１０５のＹ）、複写前格納容器４０のセットを待って（Ｓ１０３のＹ）、機密情報複写動作を開始する（Ｓ１０４）。
【００５２】
また、複写前のシートが機密性を有さないものの場合、即ちシートが通常のシートの場合は（Ｓ１０５のＮ）、カセット４に収納されたシートのみを搬送し、このシートに対して機密情報複写動作を開始する（Ｓ１０６）。なお、このとき画像形成部扉錠１１１を施錠（ロック）し（Ｓ１０７）、シートが紙詰まりを起こしても画像形成部扉１１０を開放できないようにする。
【００５３】
次に、このように機密情報複写動作が開始されると、図９のように、機密シート搬送切換部材８１が、複写後機密シート搬送路７１を経由して、複写後シートカセット４１へシートが搬送されるように切り替わる（Ｓ１１０）。また、複写後シートシャッタ４３が開き（Ｓ１１１）、この後、搬送ジョブが開始される（Ｓ１１２）。これにより、カセット４からピックアップされたシートＰ８は画像形成された後に、機密シート搬送切換部材８１及び複写後シート搬送路７１を経て複写後シートカセット４１へ機密シートとして排出される。
【００５４】
そして、搬送ジョブが終了すると（Ｓ１１３）、複写後シートシャッタ４３が閉じ（Ｓ１１４）、また機密シート搬送切換部材８１が、通常搬送路側へ切り替わり（Ｓ１１５）、画像形成部扉１１０が開錠して（Ｓ１１６）、機密情報複写動作が終了する。
【００５５】
なお、この際、シートが紙詰まりを起こし、処理をしたい場合には、ユーザが操作部５１から暗証番号を入力した後、操作部５１によりロックの解除を指示すれば、扉のロックを解除することができる。
【００５６】
一方、既述したように原稿を有するジョブと判断された場合（Ｓ１０２のＹ）、または複写前のシートが機密性を有するものの場合（Ｓ１０５のＹ）、複写前格納容器３０がセットされるのを待つ（Ｓ１０３）。そして、図１０に示すように複写前格納容器３０がセットされ（Ｓ１０３のＹ）、これを複写前格納容器検知手段９１が検出すると、複写前格納容器検知手段９１から検知信号が制御手段５０に入力され、制御手段５０は複写前格納容器３０のセットを認識する。なお、この際、複写後格納容器４０がセットされるまでは、複写動作の場合や、パソコンからの印刷やＦＡＸ等のプリント動作の場合に関わらず、機密ジョブ開始信号１００の指令を出ても、機密情報の複写動作は行われない。
【００５７】
次に、図１１のように複写前格納容器３０がセットされた後、複写後格納容器４０がセットされ（Ｓ１０１のＹ）、この後、操作部５１から機密ジョブ開始信号が暗証番号と共に出力されると、機密情報の複写動作が開始される。なお、この際、画像形成部扉錠１１１、機密原稿搬送扉錠１２１、原稿搬送第１扉錠１３１、原稿搬送第２扉錠１４１を施錠（ロック）し（Ｓ１２０）、シートが紙詰まりを起こしてもそれぞれの扉を開放できないようにする。
【００５８】
次に、図１に示すように、機密原稿搬送切換部材８２が、複写前格納容器３０から機密原稿Ｐ２が複写前原稿搬送路６２及び複写後原稿搬送路７２を経由して、複写後格納容器４０へ搬送されるように切り替わる。また、機密シート搬送切換部材８１が、複写前格納容器３０から複写前シート搬送路６１と、複写後シート搬送路７１を経由して、複写後格納容器４０へ機密シートが搬送されるように切り替わる（Ｓ１２１）。さらに、複写前原稿シャッタ３４、複写前シートシャッタ３３、複写後原稿シャッタ４４、複写後シートシャッタ４３が開く（Ｓ１２２）。
【００５９】
そして、搬送ジョブが開始される（Ｓ１２３）。これにより、複写前原稿カセット３２内の複写前原稿Ｐ２は画像読取装置１２で機密画像情報が読み取られ、複写後格納容器４０の複写後原稿カセット４２へ排出される。また、複写前シートカセット３１内の複写前シートＰ１は画像形成部１で機密画像が形成された後、複写後格納容器４０の複写後シートカセット４１へ排出される。
【００６０】
なお、画像情報がカセット４からピックアップされ、画像形成部１において機密画像が形成されたシートは画像形成後、機密シート搬送切換部材８１及び複写後シート搬送路７１を経て複写後シートカセット４１へ機密シートとして排出される。
【００６１】
そして、搬送ジョブが終了すると（Ｓ１２４）、複写前原稿シャッタ３４、複写前シートシャッタ３３、複写後原稿シャッタ４４、複写後シートシャッタ４３が閉じる（Ｓ１２５）。また、機密原稿搬送切換部材８２、機密シート搬送切換部材８１が、通常搬送路側へ切り替わり（Ｓ１２６）、画像形成部扉錠１１１、機密原稿搬送扉錠１２１、原稿搬送第１扉錠１３１、原稿搬送第２扉錠１４１が開錠する（Ｓ１２７）。これにより、機密情報複写動作が終了する。
【００６２】
ここで、仮にシートが紙詰まりを起こし、処理をしたい場合には、ユーザが暗証番号を入力すると共にロックの解除を操作部より指示すれば、扉のロック（施錠）を解除することができる。
【００６３】
以上説明したように、本実施の形態においては、機密情報等が読み取られる複写前原稿Ｐ２及び安全を確保する必要のある複写前シートＰ１を複写前格納容器３０に収納するようにしている。また、機密情報等が読み取られた複写後原稿Ｐ４及び機密情報等が複写された複写後シートＰ３を複写後格納容器４０に収納するようにしている。
【００６４】
また、読み取られる原稿画像及び画像が形成されるシートの種類に応じて少なくとも複写後格納容器４０を複写機本体２００Ａに装着した後、原稿画像の読み取り及びシートに対する画像形成を開始するようにしている。これにより、情報の安全性を確保しつつ、ユーザビリティを向上させることができる。
【図面の簡単な説明】
【００６５】
【図１】本発明の実施の形態に係る画像形成装置の一例である複写機の構成を示す図。
【図２】上記複写機の扉構成を説明する第１の図。
【図３】上記複写機の扉構成を説明する第２の図。
【図４】上記複写機の扉構成を説明する第３の図。
【図５】上記複写機の制御ブロック図。
【図６】上記複写機の機密情報を複写する場合の制御動作を示す第１のフローチャート。
【図７】上記複写機の機密情報を複写する場合の制御動作を示す第２のフローチャート。
【図８】上記複写機の機密情報を複写する場合の制御動作を示す第１の図。
【図９】上記複写機の機密情報を複写する場合の制御動作を示す第２の図。
【図１０】上記複写機の機密情報を複写する場合の制御動作を示す第３の図。
【図１１】上記複写機の機密情報を複写する場合の制御動作を示す第４の図。
【符号の説明】
【００６６】
１        画像形成部
１２      画像読取装置
３０      複写前格納容器
３１      複写前シートカセット
３２      複写前原稿カセット
３３      複写前シートシャッタ
３４      複写前原稿シャッタ
４０      複写後格納容器
４１      複写後シートカセット
４２      複写後原稿カセット
４３      複写後シートシャッタ
４４      複写後原稿シャッタ
５０      制御手段
５１      操作部
６０      複写前通路部
６１      複写前シート搬送路
６２      複写前原稿搬送路
７０      複写後通路部
７１      複写後シート搬送路
７２      複写後原稿搬送路
９１      複写前格納容器検知手段
９２      複写後格納容器検知手段
２００    複写機
２００Ａ  複写機本体
Ｐ１      複写前シート
Ｐ２      複写前原稿
Ｐ３      複写後シート
Ｐ４      複写後原稿
【図１】
0005207835.tif 000002
【図２】
0005207835.tif 000003
【図３】
0005207835.tif 000004
【図４】
0005207835.tif 000005
【図５】
0005207835.tif 000006
【図６】
0005207835.tif 000007
【図７】
0005207835.tif 000008
【図８】
0005207835.tif 000009
【図９】
0005207835.tif 000010
【図１０】
0005207835.tif 000011
【図１１】
0005207835.tif 000012